(57)【要約】【課題】型枠兼用下地ボードを固定した状態でその壁面に汎用の埋込ナットを形成することができ、また、セパレータ取付位置ではヒートブリッジを起すことなく、下地ボードを確実に固定できるようにする。【解決手段】アンカー部（３）を形成した樹脂製の台座（４）に、型枠兼用下地ボード（２）に穿設された取付孔（５）と連通する貫通孔（６）が形成され、当該貫通孔（６）の頭部側にセパレータ軸（９）及びその延長軸（１０）のネジ部と螺合する連結用管状ナット（７）が設けられ、前記貫通孔（６）の底面側に、前記延長軸（１０）が挿脱可能で、且つ、前記下地ボード（２）の表面側から挿通されるボード固定用管状ナット（１１）に螺合される管状ボルト（８）を連結用管状ナット（７）から離して設けた。【選択図】図１
2004036137.tif 000002
【特許請求の範囲】
【請求項１】
コンクリート打設時は型枠として使用することができ、打設後は型バラシすることなくそのまま内装材又は外装材の下地ボードとして使用することのできる型枠兼用下地ボードのセパレータ装着具を兼用するコンクリートアンカーであって、
アンカー部を形成した樹脂製の台座に、前記型枠兼用下地ボードに穿設された取付孔と連通する貫通孔が形成され、当該貫通孔の頭部側にセパレータ軸及びその延長軸のネジ部と螺合する連結用管状ナットが設けられ、前記貫通孔の底面側に、前記延長軸が挿脱可能で、且つ、前記下地ボードの表面側から挿通されるボード固定用管状ナットに螺合される管状ボルトが、前記連結用管状ナットから離れて設けられたことを特徴とするコンクリートアンカー。
【請求項２】
コンクリート打設時は型枠として使用することができ、打設後は型バラシすることなくそのまま内装材又は外装材の下地ボードとして使用することのできる型枠兼用下地ボードに装着されるコンクリートアンカーであって、
アンカー部を形成した樹脂製の台座に、前記型枠兼用下地ボードに穿設された取付孔と連通する貫通孔が形成され、当該貫通孔にその頭部側を塞ぐキャップが取り付けられると共に、前記貫通孔の底面側に、前記下地ボードの表面側から挿通されるボード固定用管状ナットに螺合される管状ボルトが設けられたことを特徴とするコンクリートアンカー。
【請求項３】
コンクリート打設時は型枠として使用することができ、打設後は型バラシすることなくそのまま内装材又は外装材の下地ボードとして使用することのできる型枠兼用下地ボードの裏面に装着されるコンクリートアンカー用台座であって、
前記型枠兼用下地ボードに穿設された取付孔と連通する貫通孔が形成され、当該貫通孔の頭部側にセパレータ軸及びその延長軸のネジ部と螺合する連結用管状ナットが取付可能で、且つ、前記貫通孔の底面側に、前記下地ボードの表面側から挿通されるボード固定用管状ナットに螺合される管状ボルトが設けられ、外周面にはコンクリートに埋設固定されるアンカー部が形成されたことを特徴とするコンクリートアンカー用台座。
【発明の詳細な説明】
【０００１】
【発明の属する技術分野】
本発明は、コンクリート打設時は型枠として使用することができ、打設後は型バラシすることなくそのまま内装材又は外装材の下地ボードとして使用することのできる型枠兼用下地ボードに装着されるコンクリートアンカーに関し、特に、セパレータ装着具を兼用するコンクリートアンカーに用いて好適である。
【０００２】
【従来の技術】
コンクリート建造物を構築する際に、まず、構築しようとするコンクリート壁の外面に沿って型枠を組み立て、コンクリートを打設して養生した後、その型枠をバラしてコンクリート面を露出させ、その表面に内外装下地ボードを貼って内装仕上げ工事や外装仕上工事を行なうのが一般的である。
【０００３】しかし、型枠を組み立てた後、型バラシを行い、さらに内外装下地ボードの貼付作業を行なうというように同じような作業を繰返し行なわなければ成らず、また、型枠も下地ボードも一度に使用される夫々のボードの枚数が多量であることから、工期の遅延、コストアップに繋がっていた。
さらに、コンクリート壁は断熱性に乏しいため屋内側と屋外側でヒートブリッジと称する熱還流を生じ、暖房効率・冷房効率を低下させ、ひいては、無駄なエネルギー消費によるＣＯ２の排出量が増大し、地球環境保護の趣旨に反する。
【０００４】このため、本出願人はコンクリート打設時は型枠として使用することができ、打設後は型バラシすることなくそのまま内装材又は外装材の断熱下地ボードとして使用することのできる型枠兼用断熱下地ボードを開発した。
この型枠兼用下地ボードは、図６に示すように、耐火性耐力面材５１ａと発泡樹脂パネル５１ｂを張り合わせて５〜６ｃｍの厚さに形成され、耐火性耐力面材５１ａとしては、それ単独でコンクリート型枠として使用可能な厚さ９〜１５ｍｍ程度のダイライト（大建工業株式会社の商品名）などの耐力板が用いられている。
【０００５】これによれば、型枠を組み立て、コンクリートを打設して養生すれば、表面に断熱下地ボードが貼り付けられた状態のコンクリート壁を構築できるので、型枠の型バラシや下地ボード貼り付けの手間が一切不要となり、工期の短縮、コストダウンを図ることができるだけでなく、高断熱性を付与して屋内外の熱還流を遮断し暖房効率・冷房効率を向上させることができ、ひいては、省エネ・ＣＯ２の排出量減少が図られ、地球環境保護にもつながる。
【０００６】図６及び図７は、このような型枠兼用断熱下地ボード５１を用いた従来工法を示し、まず、図６に示すように内壁面又は外壁面となる型枠兼用断熱下地ボード５１、５１をセパレータ５２で一定間隔に保持する。
セパレータ５２は、間隔を確定するセパレータ軸５３の両端に、ボード５１、５１に形成された取付孔５４の裏面側に当接されるレジコン５５の連結ナット５６が螺合され、その連結ナット５６を介して、セパレータ軸５３の延長軸５７を連結し、ボード５１の表面側に突出した延長軸５７を利用してバタ材５８を締め付けてボード５１を表面側から押えるように成っている。
【０００７】次いで、その内部にコンクリート５９を打設し、養生させた後、図７に示すように延長軸５７及びバタ材５８を外せば、表面を断熱下地ボード５１で覆ったコンクリート壁が構築されることとなる。
このとき、レジコン５５に予めアンカーフランジ５５ａなどを形成しておき、そのレジコン５５の連結ナット５６に対してボード５１を固定する固定用ボルト６０を締め付けることにより、断熱下地ボード５１がコンクリート５８から剥がれないように確りと固定される。
【０００８】
【発明が解決しようとする課題】
しかしながら、固定用ボルト６０、連結ナット５６、セパレータ軸５３は強度上金属材料を使用せざるを得ず、このため、コンクリート壁の外壁面と内壁面が、外壁側の固定用ボルト６０−外壁側の連結ナット５６−セパレータ軸５３−内壁側の連結ナット５６−内壁側の固定ボルト６０を介して金属で連結されることになり、この部分からヒートブリッジを起すという問題を生じた。
【０００９】また、セパレータ５２の取付位置に設けられるレジコン５４にはアンカーフランジ５９が設けられているためコンクリートアンカーとして機能するが、それだけではアンカーが足りないため、下地ボード５１の裏面には短ピッチで別途コンクリートアンカーを設けておく必要がある。
【００１０】一方、固定ボルト６０を締め付けてコンクリート壁を構築した後、外装工事を行なうために外壁面に沿って足場を組んだり、外壁面にエアコン室外機の支持ブラケットを取り付けたり、電話、電気などの外線引込用のガイシを設けたり、さらには、壁付物干金物などの取付ボルトを取り付ける必要性などから、壁面にナットが埋め込まれていれば非常に便利である
【００１１】足場は、作業者の安全を確保するため、所定間隔でその外壁面に対して固定する必要があるが、従来は建造物の屋内側に固定した仮設パイプなどに取り付けなければならず、その他のボルト類は、後工事でコンクリートに穴をあけなければならないなど、いずれも面倒であった。
【００１２】そこで本発明は、型枠兼用下地ボードを固定した状態でその壁面に埋込ナットを形成することができ、また、セパレータ取付位置ではヒートブリッジを起すことなく、下地ボードを確実に固定できるようにすることを技術的課題としている。
【００１３】
【課題を解決するための手段】
この課題を解決するために、請求項１の発明は、コンクリート打設時は型枠として使用することができ、打設後は型バラシすることなくそのまま内装材又は外装材の下地ボードとして使用することのできる型枠兼用下地ボードのセパレータ装着具を兼用するコンクリートアンカーであって、アンカー部を形成した樹脂製の台座に、前記型枠兼用下地ボードに穿設された取付孔と連通する貫通孔が形成され、当該貫通孔の頭部側にセパレータ軸及びその延長軸のネジ部と螺合する連結用管状ナットが設けられ、前記貫通孔の底面側に、前記延長軸が挿脱可能で、且つ、前記下地ボードの表面側から挿通されるボード固定用管状ナットに螺合される管状ボルトが、前記連結用管状ナットから離れて設けられたこと特徴としている。
【００１４】請求項１の発明によれば、セパレータ軸と延長軸が、台座の貫通孔頭部側に設けられた連結用管状ナットを介して連結されるので、従来のレジコンと同様の使い方で各型枠兼用下地ボードを型枠として組み立てていくことができる。
そして、コンクリートを打設して養生が終了した後は、延長軸を外して、ボードの取付孔にその表面側からボード固定用管状ナットを締め付ければ、ボード固定用管状ナットは台座の貫通孔低部側に設けられた管状ボルトに螺合される。
【００１５】このとき、台座のアンカー部がコンクリートに埋められているので、ボード固定用管状ナットを締め付けることにより、下地ボードが台座を介してコンクリートに対して確実に固定される。
また、連結用管状ナットと管状ボルトは離れて設けられているので、連結用管状ナットに螺合しているセパレータ軸と、管状ボルトに螺合しているボード固定用管状ナットは互いに接触せず、従ってヒートブリッジを起こすこともない。
さらに、下地ボードが管状ナットで固定されることから、下地ボードを固定した状態でその取付孔の表面側開口部には管状ナットのナット部が開口されるので、この管状ナットをそのままコンクリート壁面の埋込ナットとして使用できる。
【００１６】請求項２の発明は、請求項１の発明で用いられる台座を用いるもので、アンカー部を形成した樹脂製の台座に、型枠兼用下地ボードに穿設された取付孔と連通する貫通孔が形成され、当該貫通孔の頭部側を塞ぐキャップが取り付けられると共に、前記貫通孔の底面側に、前記ボードの表面側から挿通されるボード固定用管状ナットに螺合される管状ボルトが設けられたことを特徴とする。
【００１７】請求項２の発明によれば、請求項１の発明で用いられる台座を用いているので、台座の貫通孔底面側に設けた管状ボルトに、下地ボードの表面側から挿通されるボード固定用管状ナットを螺合して、下地ボードをコンクリート面に確実に固定することができ、この状態で壁面に埋込ナットが形成される。
【００１８】
【発明の実施の形態】
以下、本発明の実施の形態を図面に基づいて具体的に説明する。
図１は本発明に係るコンクリートアンカーを示す説明図、図２〜５は使用状態を示す説明図である。
【００１９】本例のコンクリートアンカー１は、コンクリート打設時は型枠として、また、打設後は型バラシすることなくそのまま内装材又は外装材の下地ボードとして使用される型枠兼用下地ボード２に装着されるセパレータ装着具を兼用するものである。
【００２０】コンクリートアンカー１は、コンクリートに埋設されるアンカーフランジ（アンカー部）３を形成した樹脂製の台座４に、型枠兼用下地ボード２の取付孔５と連通する貫通孔６が形成され、当該貫通孔６の頭部側に連結用管状ナット７が設けられると共に、前記貫通孔６の底面側に、前記連結用管状ナット７から離れて管状ボルト８が設けられている。
【００２１】連結用ナット７は、コンクリート壁の両面に配される型枠兼用下地ボード２の間隔を一定に維持するためのセパレータ軸９と、型枠兼用下地ボード２を型枠として使用するときにその表面側からバタ材１４（図２参照）などを締め付けるための延長軸１０とを連結するためのもので、台座４の頭部側から貫通孔６内に圧入して嵌着できるようになっている。
【００２２】また、管状ボルト８は、下地ボード２の表面側から挿通されるボード固定用管状ナット１１に螺合されるもので、前記延長軸１０を挿脱できるようにその管内径が前記延長軸１０の外径より大きく選定されたパイプ材の外周面に雄ねじ８ａが形成されてなる。
さらに，管状ボルト８の頭部に、必要に応じて放射状にアンカーブラケット８ｂ（図１破線図示）を形成して、樹脂製の台座４から突出させるようにすれば、より確実にコンクリートにアンカーされる。
【００２３】ボード固定用管状ナット１１は、パイプ材の内周面に前記管状ボルト８の雄ねじ８ａに螺合される雌ネジ１１ａが形成されると共に、一端側に下地ボード２の表面側に当接される締付頭部１１ｂが形成されている。
【００２４】なお、コンクリートアンカー１をセパレータ装着用としてではなく純粋にアンカーとして使用する場合は、台座４の貫通孔６に前記連結用管状ナット７に換えて、その頭部側開口部を塞ぐキャップ１２が圧入されると共に、貫通孔６の底面側にはボード固定用管状ナット１１に螺合される管状ボルト８が設けられてなる（図４参照）。
【００２５】以上が本発明の一構成例であって、次に、その作用を説明する。
まず、セパレータ装着用のコンクリートアンカー１として使用する場合、台座４の頭部側に連結用管状ナット７を圧入してセパレータ軸９の両端側に螺合させると共に、連結用管状ナット７を介してセパレータ軸９の両端側に延長軸１０，１０を螺合させておく。
このとき、貫通孔６の底部側に設けられた管状ボルト８は、その管内径が前記延長軸１０の外径より大きく形成されているので、支障なく延長軸１０を挿脱できる。
【００２６】そして、図２に示すように、コンクリート壁の壁面位置に沿って並べた型枠兼用下地ボード２の裏面側から各延長軸１０を取付孔５に挿入して、両側の台座４，４で間隔を規制する。
また、下地ボード２の表面側に突出した延長軸１０、１０にフォームタイ１３を螺合させて、バタ材１４を締め付けることにより表面側から下地ボード２を押さえつけて型枠を組み立てていく。
【００２７】この状態で、下地ボード２、２間にコンクリートを打設し、養生した段階で、ホームタイ１３、延長軸１０、バタ材１４を外し、図３に示すように、取付孔５の表面側からボード固定用管状ナット１１を挿入して、台座４に設けられた管状ボルト８に螺合させる。
【００２８】コンクリートが養生した段階で、台座４はそのアンカーフランジ３がコンクリート内に埋設されて固定されるので、ボード固定用管状ナット１１を管状ボルト８に螺合させれば、下地ボード２が管状ナット１１の締付頭部１１ｂに押し付けられて台座４に確りと固定されることとなる。
【００２９】このとき、連結用管状ナット７と管状ボルト８は離れて設けられているので、連結用管状ナット７に螺合しているセパレータ軸９と、管状ボルト８に螺合しているボード固定用管状ナット１１は互いに接触せず、従ってヒートブリッジを起こすこともない。
また、管状ナット１１の締付頭部１１ｂの雌ネジ１１ａが露出したままなので、外周面にボルト状のネジが形成されたキャップ１５を締め付けておけば、管状ナット１１内にゴミが入ったり、水が溜まることもない。
【００３０】そして、管状ナット１１の締付頭部１１ｂのキャップ１５を外すだけで、締付頭部１１ｂの雌ネジ１１ａが露出するので、容易に、外壁面に沿って組む足場を固定したり、外壁面にエアコン室外機の支持ブラケットを取り付けたり、電話、電気などの外線引込用のガイシを設けたり、さらには、壁付物干金物などのボルト類１６類を取り付けることができる。
【００３１】さらに、外装仕上工事を行なう場合は、ボード固定用管状ナット１１で外装仕上材ごと固定したり、別途締付ボルト１７を用いて外装化粧板１８を取り付けることもでき、所定年数（例えば２５年）経過時のリフォームの際には外装化粧板１８を簡単に交換することができるというメリットもある。
【００３２】この場合に、締付頭部１１ｂが露出するように外装仕上工事を行ってキャップ１５を締め付けておけば、建造物の構築後も必要に応じて、管状ナット１１を利用して各種ボルト１６類の受金として汎用的に用いることができる。
【００３３】なお、セパレータ取付位置でないところには、図４に示すように、台座４の貫通孔６に前記連結用管状ナット７を装着せずに、その頭部側開口部を塞ぐキャップ１２を圧入するだけで、全く同じ台座４を用いてセパレータ装着具とコンクリートアンカーを兼用できるので、部品に無駄がない。
【００３４】
【発明の効果】
以上述べたように、本発明によれば、型枠兼用下地ボードを固定した状態でその壁面に埋込ナットを形成することができ、また、セパレータ取付位置ではヒートブリッジを起すことなく、下地ボードをコンクリート構築物のコンクリート面に確実に固定することができるという大変優れた効果を奏する。
【図面の簡単な説明】
【図１】本発明に係るコンクリーアンカーを示す説明図。
【図２】その使用状態を示す説明図。
【図３】その使用状態を示す説明図。
【図４】その使用状態を示す説明図。
【図５】その使用状態を示す説明図。
【図６】従来装置を用いた施工方法を示す説明図。
【図７】従来装置を用いた施工方法を示す説明図。
【符号の説明】
１………コンクリートアンカー
２………型枠兼用下地ボード
３………アンカーフランジ（アンカー部）
４………台座
５………取付孔
６………貫通孔
７………連結用管状ナット
８………管状ボルト
９………セパレータ軸
１０………延長軸
１１………ボード固定用管状ナット
１２………キャップ
【図１】
2004036137.tif 000003
【図２】
2004036137.tif 000004
【図３】
2004036137.tif 000005
【図４】
2004036137.tif 000006
【図５】
2004036137.tif 000007
【図６】
2004036137.tif 000008
【図７】
2004036137.tif 000009